(57)【要約】【目的】いままで多用されていたソフトウォーターコンテナを支持することができるようにする。【構成】略ロ字形状に形成された第１の支持脚１００Ａと、略ロ字形状に形成され、第１の支持脚１００Ａに対して回動可能に連結された第２の支持脚２００Ａと、略下向き凹字形状に形成され、第１の支持脚１００Ａの一対の縦桟部１１０Ａの上縁部で回動可能に連結された第１の支持部材３００Ａと、略下向き凹字形状に形成され、第２の支持脚２００Ａの一対の縦桟部２１０Ａの上縁部で回動可能に連結された第２の支持部材４００Ａと、第１の支持脚１００Ａの上横桟部１２０Ａと第２の支持脚２００Ａの上横桟部２２０Ａとの間に取り付けられた受け部材５００Ａとを備え、第１の支持脚１００Ａと第２の支持脚２００Ａとを拡げて受け部材５００Ａを展開し、第１の支持部材３００Ａと第２の支持部材４００Ａとをほぼ直立状態で、受け部材５００ＡにソフトウォーターコンテナＷを載置する。【選択図】      図３
2005013286.tif 000002
【特許請求の範囲】
【請求項１】
少なくとも上横桟部とこの上横桟部の両端から下方に延設された一対の縦桟部とを有する第１の支持脚と、少なくとも上横桟部とこの上横桟部の両端から下方に延設された一対の縦桟部とを有し、この一対の縦桟部が、前記第１の支持脚の一対の縦桟部に対して回動可能に連結された第２の支持脚と、略下向き凹字形状に形成され、前記第１の支持脚の一対の縦桟部の上縁部において第１の縦桟部に回動可能に連結された第１の支持部材と、略下向き凹字形状に形成され、前記第２の支持脚の一対の縦桟部の上縁部において第２の縦桟部に回動可能に連結された第２の支持部材と、前記第１の支持脚の上横桟部と前記第２の支持脚の上横桟部との間に取り付けられた受け部材とを具備しており、第１及び第２の支持脚を拡げて前記受け部材を展開し、前記第１及び第２の支持部材をほぼ直立させた状態で、前記支持部材の上にソフトウォーターコンテナを載置することを特徴とするソフトウォーターコンテナ用スタンド。
【請求項２】
前記受け部材は、柔軟性のある面状素材から構成されることを特徴とする請求項１記載のソフトウォーターコンテナ用スタンド。
【請求項３】
前記受け部材は、板材であることを特徴とする請求項１記載のソフトウォーターコンテナ用スタンド。
【請求項４】
前記受け部材は、折り畳み可能な板材であることを特徴とする請求項１記載のソフトウォーターコンテナ用スタンド。
【請求項５】
請求項４記載のソフトウォーターコンテナ用スタンドにおいて、前記受け部材は、第１の支持脚と第２の支持脚との少なくとも一方からは取り外し可能になっていることを特徴とするソフトウォーターコンテナ用スタンド。
【請求項６】
前記第１の支持部材は、第２の支持部材より背高に形成されていることを特徴とする請求項１、２、３、４又は５記載のソフトウォーターコンテナ用スタンド。
【請求項７】
前記第２の支持部材は、上側縁部が受け部材に密着可能なように、第２の支持脚に対してスライド可能になっていることを特徴とする請求項１、２、３、４、５又は６記載のソフトウォーターコンテナ用スタンド。
【請求項８】
前記第２の支持部材の上側縁部の略中央部には、下側に向かった凹字形状の凹部が形成されていることを特徴とする請求項７記載のソフトウォーターコンテナ用スタンド。
【発明の詳細な説明】
【０００１】
【発明の属する技術分野】
本発明は、アウトドアで使用する水容器であるソフトタイプのいわゆるソフトウォーターコンテナを支持するソフトウォーターコンテナ用スタンドに関する。
【０００２】
【従来の技術】
アウトドアで使用する水容器であるウォーターコンテナは、略立方体又は略直方体状に形成され、一側面の下側に蛇口が取り付けられたものがある。この種のウォーターコンテナには、硬質の合成樹脂から構成されるいわゆるハードタイプのものや、軟質の合成樹脂から構成されるいわゆるソフトタイプのものがある。
【０００３】
この種のウォーターコンテナは、直に地面に置いて使用すると、蛇口が地面について不衛生となるので、テーブルの上に置いて使用することが多かった。しかし、キャンプ等のアウトドアでは、テーブルの数も限られるため、大きなウォーターコンテナをテーブルの上に置くことには抵抗があった。
【０００４】
そのため、図１３に示すようなウォーターコンテナを支持するウォーターコンテナ用スタンド９００が創案されている。このウォーターコンテナ用スタンド９００は、４本の脚体９１０と、この４本の脚体９１０を束ねる保持部材９２０とを有し、保持部材９２０を中心として４本の脚体９１０を捻じると自立するようになっている。自立した状態で保持部材９２０より上側の４本の脚体９１０の間にウォーターコンテナＷを載せるようになっている（非特許文献１参照）。なお、図面中９３０は、脚体９１０の上端を繋ぐ上桟部である。
【０００５】
【非特許文献１】
株式会社ジャパーナ発行「ＪＡＰＡＮＡ  ＯＵＴＤＯＯＲ  ＭＡＧＡＬＯＧ
ＤＯ！ＣＡＭＰ２００１」２００１年４月１日発行、ｐ．５６
【０００６】
【発明が解決しようとする課題】
しかしながら、こウォーターコンテナ用スタンドは、４本の脚体を捻じった状態で、保持部材より上側に形成される形状は、逆ピラミッド型であるため、支持可能なウォーターコンテナの形状が限定され、ウォーターコンテナはいままでに多用されていた略立方体又は略直方体状のものではなく、専用品を使用しなければならなかった。
【０００７】
本発明は、上記事情に鑑みて創案されたもので、いままで多用されていたソフトウォーターコンテナを支持することができるソフトウォーターコンテナ用スタンドを提供することを目的としている。
【０００８】
【課題を解決するための手段】
本発明に係るソフトウォーターコンテナ用スタンドは、少なくとも上横桟部とこの上横桟部の両端から下方に延設された一対の縦桟部とを有する第１の支持脚と、少なくとも上横桟部とこの上横桟部の両端から下方に延設された一対の縦桟部とを有し、この一対の縦桟部が、前記第１の支持脚の一対の縦桟部に対して回動可能に連結された第２の支持脚と、略下向き凹字形状に形成され、前記第１の支持脚の一対の縦桟部の上縁部において第１の縦桟部に回動可能に連結された第１の支持部材と、略下向き凹字形状に形成され、前記第２の支持脚の一対の縦桟部の上縁部において第２の縦桟部に回動可能に連結された第２の支持部材と、前記第１の支持脚の上横桟部と前記第２の支持脚の上横桟部との間に取り付けられた受け部材とを備えており、第１及び第２の支持脚を拡げて前記受け部材を展開し、前記第１及び第２の支持部材をほぼ直立させた状態で、前記支持部材の上にソフトウォーターコンテナを載置するようになっている。
【０００９】
【発明の実施の形態】
図１は本発明の第１の実施の形態に係るソフトウォーターコンテナ用スタンドの概略的正面図、図２は本発明の第１の実施の形態に係るソフトウォーターコンテナ用スタンドの概略的側面図、図３は本発明の第１の実施の形態に係るソフトウォーターコンテナ用スタンドの使用状態を示す概略的正面図、図４は本発明の第１の実施の形態に係るソフトウォーターコンテナ用スタンドの折り畳み方を説明する概略的側面図、図５は本発明の第１の実施の形態に係るソフトウォーターコンテナ用スタンドの折り畳まれた状態を示す概略的正面図、図６は本発明の第１の実施の形態に係るソフトウォーターコンテナ用スタンドの折り畳まれた状態を示す概略的側面図である。
【００１０】
また、図７は本発明の第２の実施の形態に係るソフトウォーターコンテナ用スタンドの概略的側面図、図８は本発明の第３の実施の形態に係るソフトウォーターコンテナ用スタンドの概略的正面図、図９は本発明の第４の実施の形態に係るソフトウォーターコンテナ用スタンドの概略的正面図、図１０は本発明の第５の実施の形態に係るソフトウォーターコンテナ用スタンドの概略的側面図、図１１は本発明の第６の実施の形態に係るソフトウォーターコンテナ用スタンドの概略的正面図、図１２はこれらのソフトウォーターコンテナ用スタンドに用いられるソフトウォーターコンテナの一例の概略的斜視図である。
【００１１】
本発明の第１の実施の形態に係るソフトウォーターコンテナ用スタンドＡは、略ロ字形状に形成された第１の支持脚１００Ａと、略ロ字形状に形成され、前記第１の支持脚１００Ａに対して回動可能に連結された第２の支持脚２００Ａと、略下向き凹字形状に形成され、前記第１の支持脚１００Ａの一対の縦桟部１１０Ａの上縁部において回動可能に連結された第１の支持部材３００Ａと、略下向き凹字形状に形成され、前記第２の支持脚２００Ａの一対の縦桟部２１０Ａの上縁部において回動可能に連結された第２の支持部材４００Ａと、前記第１の支持脚１００Ａの上横桟部１２０Ａと前記第２の支持脚２００Ａの上横桟部２２０Ａとの間に取り付けられた受け部材５００Ａとを備えており、第１の支持脚１００Ａと第２の支持脚２００Ａとを拡げて前記受け部材５００Ａを展開し、前記第１の支持部材３００Ａと第２の支持部材４００Ａとをほぼ直立させた状態で、前記受け部材５００Ａの上にソフトウォーターコンテナＷを載置するものである。
【００１２】
なお、本明細書におけるソフトウォーターコンテナＷは、折り畳み可能な例えばポリエチレン等から構成されたものである。
【００１３】
まず、このソフトウォーターコンテナ用スタンドＡの主たる部分を構成する第１の支持脚１００Ａ、第２の支持脚２００Ａ、第１の支持部材３００Ａ及び第２の支持部材４００Ａは、金属製の丸パイプを折曲したものである。
【００１４】
前記第１の支持脚１００Ａは、平行な一対の縦桟部１１０Ａと、この縦桟部１１０Ａの上端を連結する上横桟部１２０Ａと、前記縦桟部１１０Ａの下端を連結する下横桟部１３０Ａとを有している。前記上横桟部１２０Ａと下横桟部１３０Ａとは、平行になっている。また、一対の縦桟部１１０Ａの間の寸法、すなわち上横桟部１２０Ａと下横桟部１３０Ａとの寸法は、支持すべきソフトウォーターコンテナＷの横幅寸法より若干大きく設定されている。
【００１５】
一方の第２の支持脚２００Ａは、平行な一対の縦桟部２１０Ａと、この縦桟部２１０Ａの上端を連結する上横桟部２２０Ａと、前記縦桟部２１０Ａの下端を連結する下横桟部２３０Ａとを有している。前記上横桟部２２０Ａと下横桟部２３０Ａとは、平行になっている。
【００１６】
また、第２の支持脚２００Ａの幅寸法は、前記第１の支持脚１００Ａの一対の縦桟部１１０Ａの内寸とほぼ等しく設定されている。さらに、第２の支持脚２００Ａの高さ寸法は、第１の支持脚１００Ａの上横桟部１２０Ａと下横桟部１３０Ａとの内寸より若干小さく設定されている。すなわち、第２の支持脚２００Ａは、第１の支持脚１００Ａの内側にすっぽりと嵌まり込むことができる大きさに設定されているのである。
【００１７】
第１の支持脚１００Ａの寸法と第２の支持脚２００Ａの寸法とがこのように設定されているのは、第２の支持脚２００Ａが第１の支持脚１００Ａの内側に入って連結されるためである。
【００１８】
第１の支持脚１００Ａの一対の縦桟部１１０Ａの略中央部には貫通孔１１１Ａが、第２の支持脚２００Ａの一対の縦桟部２１０Ａの略中央部には貫通孔２１１Ａがそれぞれ開設されている。この両貫通孔１１１Ａ、２１１Ａは、第１の支持脚１００Ａと第２の支持脚２００Ａとを回動可能に連結する連結ピン６１０Ａが挿通される部分である。
【００１９】
さらに、第１の支持脚１００Ａの一対の縦桟部１１０Ａの上縁部には貫通孔１１２Ａが、第２の支持脚２００Ａの一対の縦桟部２１０Ａの上縁部には貫通孔２１２Ａがそれぞれ開設されている。
【００２０】
前記第１の支持部材３００Ａは、略下向き凹字形状に形成されており、その両側の端部３１０Ａは、内側に向かって折曲されている。そして、この内側に向かって折曲された端部３１０Ａの間の寸法は、第１の支持脚１００Ａの幅寸法より若干小さく設定されている。
【００２１】
また、前記第２の支持部材４００Ａは、略下向き凹字形状に形成されている。かかる第２の支持部材４００Ａの幅寸法は、第２の支持脚２００Ａの一対の縦桟部２１０Ａの内寸より若干小さく設定されている。
【００２２】
前記第１の支持部材３００Ａの折曲された端部３１０Ａより若干上側には、貫通孔３１１Ａが開設されている。また、前記第２の支持部材４００Ａの下端部には、貫通孔４１１Ａが開設されている。
【００２３】
第１の支持脚１００Ａの貫通孔１１２Ａと第１の支持部材３００Ａの貫通孔３１１Ａとには、同じ連結ピン６２０Ａが挿通される。また、第２の支持脚２００Ａの貫通孔２１２Ａと第２の支持部材４００Ａの貫通孔４１１Ａとには、同じ連結ピン６３０Ａが挿通される。
【００２４】
これによって、第１の支持部材３００Ａは第１の支持脚１００Ａに対して回動可能となり、第２の支持部材４００Ａは第２の支持脚２００Ａに対して回動可能となる。
【００２５】
なお、第１の支持部材３００Ａは、第２の支持部材４００Ａより背高に形成されている。
【００２６】
第１の支持脚１００Ａの上横桟部１２０Ａと、第２の支持脚２００Ａの上横桟部２２０Ａとは平行になっている。そして、両上横桟部１２０Ａ、２２０Ａの間には、柔軟性のある面状素材、例えばキャンバス地の受け部材５００Ａが取り付けられる。この受け部材５００Ａの幅寸法は、第２の支持脚２００Ａの上横桟部２２０Ａの幅寸法と略等しく設定されている。また、この受け部材５００Ａの長さ寸法は、第１の支持脚１００Ａと第２の支持脚２００Ａとを開けた場合に、安定的に立つ程度長さに設定されている。
【００２７】
このように構成された第１の実施の形態に係るソフトウォーターコンテナ用スタンドＡの使用方法について説明する。
まず、第１の支持脚１００Ａと、第２の支持脚２００Ａとを拡げる。さらに、第１の支持部材３００Ａと、第２の支持部材４００Ａとをほぼ直立させる。すなわち、第１の支持部材３００Ａは、その端部３１０Ａが第１の支持脚１００Ａの一対の縦桟部１１０Ａに当接するまで回動させる。また、第２の支持部材２００Ａは、第２の支持脚２００Ａの上横桟部２２０Ａに当接するまで回動させるのである。
【００２８】
この状態で、図３に示すように、受け部材５００ＡにいわゆるソフトタイプのソフトウォーターコンテナＷを載置する。すると、ソフトウォーターコンテナＷの一方の側面Ｗ１は第１の支持部材３００Ａの間に嵌まり込み、ソフトウォーターコンテナＷの他方の側面Ｗ２（前記一方の側面Ｗ１と対向する側面）は第２の支持部材４００Ａによって側面から支持される。なお、ソフトウォーターコンテナＷは、図３に示すように、蛇口Ｗ３が正面を向くように載置するとよい。
【００２９】
このソフトウォーターコンテナ用スタンドＡの折り畳みは、次のようにして行う。まず、第１の支持脚１００Ａと第２の支持脚２００Ａとを閉じる（図４の矢印ａ参照）。この際、受け部材５００Ａは下側に垂れさせておく。次に、第２の支持部材４００Ａを内側に向かって倒す（図４の矢印ｂ参照）。すると、第２の支持部材４００Ａは、受け部材５００Ａを巻き込んむようにして第２の支持脚２００Ａの間に入り込む（図４参照）。さらに、第１の支持脚１００Ａを内側に向かって倒す（図４の矢印ｃ参照）。すると、第１の支持部材３００Ａは、折り畳まれた第２の支持脚２００Ａに当接する（図５及び図６参照）。
【００３０】
この状態では、図５に示すように、ソフトウォーターコンテナ用スタンドＡは、ほぼ平坦に折り畳まれることになる。
【００３１】
次に、図７を参照しつつ、本発明の第２の実施の形態に係るソフトウォーターコンテナ用スタンドＢについて説明する。
このソフトウォーターコンテナ用スタンドＢは、第１の支持脚１００Ｂと第２の支持脚２００Ｂとの形状に特徴がある。
【００３２】
すなわち、本発明の第１の実施の形態に係るソフトウォーターコンテナ用スタンドＡにおける第１の支持脚１００Ａと第２の支持脚２００Ａとは、略ロ字形状に形成されていたが、この第２の実施の形態に係るソフトウォーターコンテナ用スタンドＢでは、第１の支持脚１００Ｂが上横桟部１２０Ｂとこの上横桟部１２０Ｂの両端から下方に延設された一対の縦桟部１１０Ｂとを有する略逆凹字形状に形成されているとともに、第２の支持脚２００Ｂが上横桟部２２０Ｂとこの上横桟部２２０Ｂの両端から下方に延設された一対の縦桟部２１０Ｂとを有する略逆凹字形状に形成されているのである。
【００３３】
この第２の実施の形態に係るソフトウォーターコンテナ用スタンドＢは、他の点、すなわち第１の支持部材３００Ｂ、第２の支持部材４００Ｂや受け部材５００Ｂについては、第１の実施の形態に係るソフトウォーターコンテナ用スタンドＡと同様である。
【００３４】
このように、第１の支持脚１００Ｂと第２の支持脚２００Ｂとを略逆凹字形状に形成することにより、部材の減少が図れるので、コストダウンを図ることができる。また、折り畳んだ状態で、自動車のトランク等に積み込む場合に、第１の支持脚１００Ｂ及び第２の支持脚２００Ｂの間にも他の荷物を入れ込むことができるというメリットがある。
【００３５】
次に、図８を参照しつつ、本発明の第３の実施の形態に係るソフトウォーターコンテナ用スタンドＣについて説明する。
このソフトウォーターコンテナ用スタンドＣは、受け部材５００Ｃの素材に特徴がある。
【００３６】
すなわち、本発明の第１の実施の形態に係るソフトウォーターコンテナ用スタンドＡ及び第２の実施の形態に係るソフトウォーターコンテナ用スタンドＢにおいては、受け部材５００Ａ、５００Ｂにキャンバス地が用いられていたが、この第３の実施の形態に係るソフトウォーターコンテナ用スタンドＣでは、受け部材５００Ｃに折り畳み可能な板材を用いるのである。
【００３７】
この受け部材５００Ｃは、ヒンジ５３０Ｃで折り畳み可能に連結された２枚の板材５１０Ｃ、５２０Ｃから構成されている。前記板材５１０Ｃの一端側の裏面、すなわち前記ヒンジ５３０Ｃが取り付けられている側とは反対側の裏面には、略Ｌ字形状のアングル５４０Ｃが取り付けられている。また、前記板材５２０Ｃの一端側の裏面、すなわち前記ヒンジ５３０Ｃが取り付けられている側とは反対側の裏面には、略Ｌ字形状のアングル５５０Ｃが取り付けられている。前記アングル５４０Ｃは第１の脚部１００Ｃの上横桟部１２０Ｃに、前記アングル５５０Ｃは第２の脚部２００Ｃの上横桟部２２０Ｃにそれぞれ嵌まり込むことで、第１の支持脚１００Ｃ及び第２の支持脚２００Ｃに取り付けられているのである。
【００３８】
なお、このソフトウォーターコンテナ用スタンドＣの場合、２つのアングル５４０Ｃ、５５０Ｃの何れか一方を第１の支持脚１００Ｃ、第２の支持脚２００Ｃから外すか、両アングル５４０Ｃ、５５０Ｃを第１の支持脚１００Ｃ、第２の支持脚２００Ｃから外した状態で折り畳む。
【００３９】
なお、両アングル５４０Ｃ、５５０Ｃを第１の支持脚１００Ｃ、第２の支持脚２００Ｃから外した状態で、折り畳むのであれば、受け部材５００Ｃは折り畳み可能になっていなくてもよい。
【００４０】
このように、受け部材５００Ｃがキャンバス地等の柔軟性のある面状素材ではなく、板材で構成すると、ソフトウォーターコンテナＷを受け部材５００Ｃの上に載置しても、水が蓄えられたソフトウォーターコンテナＷの重さによって、撓むことがないので、ソフトウォーターコンテナＷを常に水平に支持することが可能となる。
【００４１】
次に、図９を参照しつつ、本発明の第４の実施の形態に係るソフトウォーターコンテナ用スタンドＤについて説明する。
このソフトウォーターコンテナ用スタンドＤは、第２の支持部材４００Ｄに特徴がある。
【００４２】
上述した３つのソフトウォーターコンテナ用スタンドＡ〜Ｃでは、第２の支持部材４００Ａ〜４００Ｃは、第２の支持脚２００Ａ〜２００Ｃに対して、連結ピン６３０Ａ〜６３０Ｃで回動可能に連結されているだけであった。このため、第２の支持部材４００Ａ〜４００Ｃは、常に、使用状態では受け部材５００Ａ〜５００Ｃの上側に位置していた。
【００４３】
これに対して、第４の実施の形態に係るソフトウォーターコンテナ用スタンドＤにおける第２の支持部材４００Ｄは、上側縁部４２０Ｄが受け部材５００Ｄに密着可能なように、第２の支持脚２００Ｄに対してスライド可能になっている。
すなわち、このソフトウォーターコンテナ用スタンドＤにおける第２の支持部材４００Ｄは、前記ソフトウォーターコンテナ用スタンドＡにおける第２の支持部材４００Ａの貫通孔４１１Ａが開設されている部分に、長孔４１０Ｄが開設されており、この長孔４１０Ｄに連結ピン６３０Ｄが嵌まり込んでいるのである。このため、第２の支持部材４００Ｄは、長孔４１０Ｄの長さ分だけ第２の支持脚２００Ｄに対してスライド可能になっているである。
【００４４】
ここで、前記長孔４１０Ｄの長さ寸法は、連結ピン６３０Ｄが最も上側に位置した場合、すなわち第２の支持部材４００Ｄが最も下側に下がった場合には、第２の支持部材４００Ｄの上側縁部４２０Ｄが受け部材５００Ｄに密着するようになり、連結ピン６３０Ｄが最も下側に位置した場合、すなわち第２の支持部材４００Ｄが最も上側に上がった場合には、受け部材５００Ｄに載置したソフトウォーターコンテナＷの側面Ｗ２に対して接触するように設定されている。
【００４５】
かかるソフトウォーターコンテナ用スタンドＤであると、第２の支持部材４００Ｄを最も下側に下げた場合には、第２の支持部材４００Ｄの上側縁部４２０Ｄが受け部材５００Ｄの上に密着するので、椅子として使用することも可能になる。
【００４６】
なお、この第４の実施の形態に係るソフトウォーターコンテナ用スタンドＤにおける受け部材５００Ｄは、キャンバス地でも板材であってもよいことはいうまでもない。それは、第２の実施の形態に係るソフトウォーターコンテナ用スタンドＢであっても同様である。
【００４７】
次に、図１０を参照しつつ、本発明の第５の実施の形態に係るソフトウォーターコンテナ用スタンドＥについて説明する。
このソフトウォーターコンテナ用スタンドＥは、第２の支持脚２００Ｅの形状に特徴がある。
【００４８】
このソフトウォーターコンテナ用スタンドＥにおける第２の支持脚２００Ｅの上横桟部２２０Ｅの略中央部には、下側に向かった凹字形状の凹部２２１ＥＥが形成されている。この凹部２２１Ｅは、ソフトウォーターコンテナＷを横向き、すなわち蛇口Ｗ３が側面を向くようにして受け部材５００Ｅに載置させた場合に、蛇口Ｗ３の邪魔にならず、蛇口Ｗ３が入り込む部分である。なお、受け部材５００Ｅのこの凹部２２１Ｅに相当する部分には、凹部２２１Ｅを露出するための切込５９０Ｅが形成されている。
【００４９】
このように、第２の支持脚２００Ｅの上横桟部２２０Ｅに下向きの凹部２２１Ｅを形成しておくと、この部分にソフトウォーターコンテナＷの蛇口Ｗ３を入れることが可能となるので、ソフトウォーターコンテナＷを正面向きだけでなく、横向きにも載置することが可能となり、ソフトウォーターコンテナＷの向きの選択範囲をより広くすることが可能となる。
【００５０】
また、図１１に示す本発明の第６の実施の形態に係るソフトウォーターコンテナ用スタンドＦのように、第１の支持部材３００Ｆと第２の支持部材４００Ｆとの高さ寸法を等しくし、ソフトウォーターコンテナＷをソフトウォーターコンテナ用スタンドＦに載置した場合、ソフトウォーターコンテナＷの上面が前記第１の支持部材３００Ｆの上側縁部３２０Ｆ及び第２の支持部材４００Ｆの上側縁部４２０Ｆより下側に位置するように設定すると、第１の支持部材３００Ｆ及び第２の支持部材４００Ｆとの間に天板６００を取り付けてテーブルとしても使用することが可能になる。この場合、天板６００の下面には、略Ｌ字形状のアングル６１０を取り付けておき、このアングル６１０によって天板６００を第１の支持部材３００Ｆ及び第２の支持部材４００Ｆに固定するようにするとよい。
【００５１】
なお、上述した実施の形態では、ソフトウォーターコンテナ用スタンドＡ等に支持されるソフトウォーターコンテナＷの側面Ｗ２に第２の支持部材４００Ａ等が当接するものとしたが、図１２に示すように、側面Ｗ２に第２の支持部材４００Ａ等の形状に相当した略逆凹字形状の溝Ｗ４を形成しておけば、この溝Ｗ４に第２の支持部材４００Ａが嵌まり込むので、より安定的にソフトウォーターコンテナＷを支持することが可能となる。
【００５２】
【発明の効果】
本発明に係るソフトウォーターコンテナ用スタンドは、少なくとも上横桟部とこの上横桟部の両端から下方に延設された一対の縦桟部とを有する第１の支持脚と、少なくとも上横桟部とこの上横桟部の両端から下方に延設された一対の縦桟部とを有し、この一対の縦桟部が、前記第１の支持脚の一対の縦桟部に対して回動可能に連結された第２の支持脚と、略下向き凹字形状に形成され、前記第１の支持脚の一対の縦桟部の上縁部において第１の縦桟部に回動可能に連結された第１の支持部材と、略下向き凹字形状に形成され、前記第２の支持脚の一対の縦桟部の上縁部において第２の縦桟部に回動可能に連結された第２の支持部材と、前記第１の支持脚の上横桟部と前記第２の支持脚の上横桟部との間に取り付けられた受け部材とを備えており、第１及び第２の支持脚を拡げて前記受け部材を展開し、前記第１及び第２の支持部材をほぼ直立させた状態で、前記支持部材の上にソフトウォーターコンテナを載置するようになっている。
【００５３】
かかるソフトウォーターコンテナ用スタンドであると、第１及び第２の支持脚を拡げて前記受け部材を展開し、前記第１及び第２の支持部材をほぼ直立させた状態で、前記支持部材の上にソフトウォーターコンテナを載置することができるので、従来のソフトウォーターコンテナ用スタンドのように専用品ではなく、いままでに多用されていた略立方体又は略直方体状のソフトウォーターコンテナを載置することができる。
【００５４】
また、前記受け部材が柔軟性のある面状素材から構成されると、簡単に折り畳むことが可能となる。
【００５５】
前記受け部材が板材であると、柔軟性のある面状素材、例えばキャンバス地等のように、ソフトウォーターコンテナを載置した場合に撓むことがないので、ソフトウォーターコンテナを常に水平に支持することが可能となる。
【００５６】
また、前記受け部材が折り畳み可能な板材であると、折り畳んだ際に、全体を小型にすることができる。
【００５７】
また、前記受け部材が、第１の支持脚と第２の支持脚との少なくとも一方からは取り外し可能になっていると、受け部材を完全に取り外すことなく折り畳むことができる。
【００５８】
前記第１の支持部材が、第２の支持部材より背高に形成されていると、大型のソフトウォーターコンテナも安定的に支持することができる。
【００５９】
前記第２の支持部材が、上側縁部が受け部材に密着可能なように、第２の支持脚に対してスライド可能になっていると、第２の支持部材の上側縁部を受け部材に密着させると椅子としても利用することができるようになる。
【００６０】
さらに、前記第２の支持部材の上側縁部の略中央部に、下側に向かった凹字形状の凹部が形成されていると、この部分にソフトウォーターコンテナの蛇口を入れることが可能となるので、ソフトウォーターコンテナを正面向きだけでなく、横向きにも載置することが可能となり、ソフトウォーターコンテナの向きの選択範囲をより広くすることが可能となる。
【図面の簡単な説明】
【図１】本発明の第１の実施の形態に係るソフトウォーターコンテナ用スタンドの概略的正面図である。
【図２】本発明の第１の実施の形態に係るソフトウォーターコンテナ用スタンドの概略的側面図である。
【図３】本発明の第１の実施の形態に係るソフトウォーターコンテナ用スタンドの使用状態を示す概略的正面図である。
【図４】本発明の第１の実施の形態に係るソフトウォーターコンテナ用スタンドの折り畳み方を説明する概略的側面図である。
【図５】本発明の第１の実施の形態に係るソフトウォーターコンテナ用スタンドの折り畳まれた状態を示す概略的正面図である。
【図６】本発明の第１の実施の形態に係るソフトウォーターコンテナ用スタンドの折り畳まれた状態を示す概略的側面図である。
【図７】本発明の第２の実施の形態に係るソフトウォーターコンテナ用スタンドの概略的側面図である。
【図８】本発明の第３の実施の形態に係るソフトウォーターコンテナ用スタンドの概略的正面図である。
【図９】本発明の第４の実施の形態に係るソフトウォーターコンテナ用スタンドの概略的正面図である。
【図１０】本発明の第５の実施の形態に係るソフトウォーターコンテナ用スタンドの概略的側面図である。
【図１１】本発明の第６の実施の形態に係るソフトウォーターコンテナ用スタンドの概略的正面図である。
【図１２】これらのソフトウォーターコンテナ用スタンドに用いられるソフトウォーターコンテナの一例の概略的斜視図である。
【図１３】従来のこの種のソフトウォーターコンテナ用スタンドの概略的斜視図である。
【符号の説明】
１００Ａ  第１の支持脚
１１０Ａ  縦桟部
１２０Ａ  上横桟部
２００Ａ  第２の支持脚
２１０Ａ  縦桟部
２２０Ａ  上横桟部
３００Ａ  第１の支持部材
４００Ａ  第２の支持部材
５００Ａ  受け部材
Ｗ        ソフトウォーターコンテナ
【図１】
2005013286.tif 000003
【図２】
2005013286.tif 000004
【図３】
2005013286.tif 000005
【図４】
2005013286.tif 000006
【図５】
2005013286.tif 000007
【図６】
2005013286.tif 000008
【図７】
2005013286.tif 000009
【図８】
2005013286.tif 000010
【図９】
2005013286.tif 000011
【図１０】
2005013286.tif 000012
【図１１】
2005013286.tif 000013
【図１２】
2005013286.tif 000014
【図１３】
2005013286.tif 000015